(57)【要約】【課題】折り畳み可能な回転機構を有する電子機器であって、回転機構における回動の中心軸の調整が容易な電子機器を提供すること。【解決手段】第１筐体と、第２筐体と、連結部と、を備える電子機器であって、連結部は、ねじ部材により第１筐体に締結され、該第１筐体に対して回動する、第２筐体を支持する支持部材と、第２筐体に設けられ、支持部材により回動可能に軸支される軸受部と、を備え、支持部材は、軸受部に回動可能に軸支される円筒部と、第１筐体に締結される締結部が形成される板状部と、を備え、板状部は、締結部に対して円筒部が設けられる側と反対側に延出する延出部が形成されており、第１筐体は、延出部と対向する位置に、延出部を厚さ方向に押圧可能な凸部が形成される。【選択図】図８
2009111690.tif 000002
【特許請求の範囲】
【請求項１】
第１筐体と、第２筐体と、
前記第１筐体と前記第２筐体とを回転軸を中心に開閉可能に連結する連結部と、を備える電子機器であって、
前記連結部は、
ねじ部材により前記第１筐体に締結され、前記第１筐体に対して回動する前記第２筐体を支持する支持部材と、
前記第２筐体に設けられ、前記支持部材により回動可能に軸支される軸受部と、を備え、
前記支持部材は、前記軸受部に回動可能に軸支される筒状部と、前記第１筐体に締結される締結部が形成される板状部と、を備え、
前記板状部は、前記締結部に対して前記筒状部が設けられる側と反対側に延出する延出部が形成されており、
前記第１筐体は、前記延出部と対向する位置に、前記延出部を厚さ方向に押圧可能な凸部が形成されることを特徴とする電子機器。
【請求項２】
前記凸部は、前記延出部の前記厚さ方向における一方側の面を押圧するように形成されることを特徴とする請求項１に記載の電子機器。
【請求項３】
前記一方側の面は、展開状態における開放面側に形成されることを特徴とする請求項２に記載の電子機器。
【請求項４】
前記支持部材が高剛性材料により形成されることを特徴とする請求項１から３のいずれかに記載の電子機器。
【請求項５】
前記第１筐体と前記第２筐体とを中継する中継ケーブルをさらに備え、
前記筒状部は、中空状に形成され、
前記中継ケーブルは、前記支持部材の前記筒状部の内部を挿通することにより前記第１筐体と前記第２筐体とを中継することを特徴とする請求項１から４のいずれかに記載の電子機器。
【請求項６】
前記第１筐体は、外形が第１ケースと、第２ケースとから形成されており、
前記凸部は、前記第１ケース又は第２ケースに設けられることを特徴とする請求項１から５のいずれかに記載の電子機器。
【発明の詳細な説明】
【技術分野】
【０００１】
本発明は、携帯電話機や簡易型携帯電話機等の移動通信機、或いはＰＤＡ（Ｐｅｒｓｏｎａｌ  Ｄｉｇｉｔａｌ  Ａｓｓｉｓｔａｎｔｓ）といった電子機器に関する。特には、折り畳み可能に構成された電子機器の連結構造に関する。
【背景技術】
【０００２】
近年、電子機器の１つである携帯電話機には、表示部と操作部とが一の筐体に形成される一体型の携帯電話機（いわゆる、ストレートタイプ）のほか、液晶表示画面を拡大させるために、表示部と操作部とを構成する筐体をそれぞれ別々に形成し、それらを折り畳み可能に連結させた折り畳み式のものや、スライド自在に連結させたスライド式のものが種々提案されている。
【０００３】
また昨今の携帯電話機においては、カメラモジュール等の各種機能の多機能化、高性能化に加え、小型化や薄型化が要求されており、折り畳み式の携帯電話機は、折り畳むことによりコンパクトになることから、好ましい形態のひとつとして開発が進められている。
【０００４】
ところで、このように構成された折り畳み式の携帯電話機は、通常、操作部側の筐体にバッテリが配置されているため、表示部側の筐体に配置される液晶ディスプレイ等に電力を供給したり、表示部側の回路基板に電気信号を送信するためには、バッテリが配置される操作部側の回路基板と表示部側の回路基板とを電気的に接続させる必要がある。
【０００５】
このような接続は、通常、操作部側の筐体と表示部側の筐体との連結部を介して行われる。例えば、連結部に回転機構を構成する回転軸部材に加え、中継ケーブルを挿通させるダミーヒンジと呼ばれる中空部材を配置し、中継ケーブルをこの中空部に挿通させて操作部側の筐体と表示部側とを中継し、操作部側に配置される回路基板と表示部側に配置される回路基板とを電気的に接続させていた（例えば、特許文献１参照）。
【特許文献１】特開２００６−３２９４０８号公報
【発明の開示】
【発明が解決しようとする課題】
【０００６】
ここで、連結部は、折り畳み式携帯電話機を折り畳むときの中心となるため、通常、大きな荷重がかかる。これは、連結部に配置されるダミーヒンジにおいても同様であり、そのために、ダミーヒンジは、高剛性の合金や樹脂により形成されると共に、筐体と締結させることにより荷重に対する負荷を軽減させていた。
【０００７】
一方、筐体の回動の中心軸は、連結部における操作部側の筐体及び表示部側の筐体それぞれの寸法精度（設計誤差）により決まるが、ダミーヒンジが配置される場所においては、各筐体の寸法精度に加え、ダミーヒンジの寸法精度も筐体の回動の中心軸に影響を及ぼすことになる。
【０００８】
これに対しては、ダミーヒンジの円筒部を囲む周域にいずれかに肉盛りをすることで対応することが可能であった。例えば、移動させたい方向と反対の方向に肉盛りすることで、ダミーヒンジを移動させ、中心軸の調整することが可能であった。
【０００９】
しかしながら、ダミーヒンジは上述したように高剛性の部材により形成されるため、ダミーヒンジの円筒部を囲む周域に肉盛りをすると、その周域を構成する筐体のケース自体に肉盛りによる負荷がかかり、例えば、ケース同士を嵌合する嵌合部に隙間が生じたり、ケース同士を嵌合する爪部等に大きな負荷がかかるおそれがあった。
【００１０】
本発明は、折り畳み可能な回転機構を有する電子機器であって、回転機構における回動の中心軸の調整が容易な電子機器を提供することを目的とする。
【課題を解決するための手段】
【００１１】
本発明の電子機器は、第１筐体と、第２筐体と、前記第１筐体と前記第２筐体とを回転軸を中心に開閉可能に連結する連結部と、を備える電子機器であって、前記連結部は、
ねじ部材により前記第１筐体に締結され、前記第１筐体に対して回動する前記第２筐体を支持する支持部材と、前記第２筐体に設けられ、前記支持部材により回動可能に軸支される軸受部と、を備え、前記支持部材は、前記軸受部に回動可能に軸支される筒状部と、前記第１筐体に締結される締結部が形成される板状部と、を備え、前記板状部は、前記締結部に対して前記筒状部が設けられる側と反対側に延出する延出部が形成されており、
前記第１筐体は、前記延出部と対向する位置に、前記延出部を厚さ方向に押圧可能な凸部が形成されることを特徴とする電子機器に関する。
【００１２】
また、前記凸部は、前記延出部の前記厚さ方向における一方側の面を押圧するように形成されることが好ましい。
【００１３】
また、前記一方側の面は、前記開状態における開放面側に形成されることが好ましい。
【００１４】
また、前記支持部材が高剛性材料により形成されることが好ましい。
【００１５】
また、電子機器は、前記第１筐体と前記第２筐体とを中継する中継ケーブルをさらに備え、前記筒状部は、中空状に形成され、前記中継ケーブルは、前記支持部材の前記筒状部の内部を挿通することにより前記第１筐体と前記第２筐体とを中継することが好ましい。
【００１６】
また、前記第１筐体は、外形が第１ケースと、第２ケースとから形成されており、前記凸部は、前記第１ケース又は第２ケースに設けられることが好ましい。
【発明の効果】
【００１７】
本発明によれば、折り畳み可能な回転機構を有する電子機器であって、回転機構における回動の中心軸の調整が容易な電子機器を提供することができる。
【発明を実施するための最良の形態】
【００１８】
以下、図面を参照して本発明を実施するための最良の形態を説明する。
【００１９】
まず、図１から図３により、電子機器としての携帯電話機１における全体構造について説明する。図１は、電子機器としての携帯電話機１を開いた状態（開状態）の外観斜視図を示す。図２は、携帯電話機１を折り畳んだ状態（閉状態）の外観斜視図を示す。図３は、操作部側筐体２と表示部側筐体３との連結状態を示す。
【００２０】
図１から図３に示すように、本実施形態に係る携帯電話機１は、第１筐体である表示部側筐体３と、第２筐体である操作部側筐体２と、を備えて構成される。操作部側筐体２と表示部側筐体３とは、連結部４において回動可能に連結されており、表示部側筐体３を回転軸Ｘを中心に回動させることにより携帯電話機１を開状態と閉状態とに切り替え可能になっている。また、操作部側筐体２と表示部側筐体３とは、連結部４の内部を挿通する中継ケーブル１５０において、それぞれに配置される回路基板３５、７０が電気的に接続される。具体的には、中継ケーブル１５０は、連結部４に配置されるダミーヒンジ１００を介して操作部側筐体２と表示部側筐体３とを中継し、それぞれに配置される回路基板３５、７０を電気的に接続する。
【００２１】
なお、ここでいう開状態とは、操作部側筐体２と表示部側筐体３とが互いに重ならないように配置された状態をいい（図１参照）、閉状態とは、操作部側筐体２と表示部側筐体３とが互いに重なるように配置された状態をいう（図２参照）。
【００２２】
次に、携帯電話機１における操作部側筐体２、表示部側筐体３及び連結部４の各基本構造について説明する。
【００２３】
操作部側筐体２は、外面がフロントケース２ａとリアケース２ｂにより構成される。操作部側筐体２には、フロントケース２ａ側に、操作キー群１１と、携帯電話機１の使用者が通話時に発した音声が入力されるマイクとしての音声入力部１２と、がそれぞれ露出するように配置される。
【００２４】
操作キー群１１は、各種設定や電話帳機能やメール機能等の各種機能を作動させるための機能設定操作キー１３、電話番号の数字やメール等の文字等を入力するためのテンキー等からなる入力操作キー１４、各種操作における決定や上下左右方向のスクロール等を行う操作部材としての決定操作キー１５と、から構成されている。操作キー群１１を構成する各キーそれぞれには、操作部側筐体２と表示部側筐体３との開閉状態等の変形状態や、起動されているアプリケーションの種類に応じて所定の機能が割り当てられている（キー・アサイン）。そして、操作キー群１１を構成する各キーが使用者により押圧されることで、各キーに割り当てられている機能に応じた動作が実行される。
【００２５】
音声入力部１２は、操作部側筐体２の長手方向における連結部４側（以下、上端部側という）とは反対側の外端部に配置される。つまり、音声入力部１２は、携帯電話機１が開状態にある場合に一方の外端部側に配置される。
【００２６】
表示部側筐体３は、外面が第１ケースであるフロントケース３ａと第２ケースであるリアケース３ｂにより構成される。表示部側筐体３におけるフロントケース３ａには、各種情報を表示するための所定形状のメインディスプレイ３０と、通話の相手側における音声を出力するレシーバーとしての音声出力部３１とが露出するように配置される。音声出力部３１は、表示部側筐体３の長手方向における連結部４側（以下、下端部側という）とは反対側の外端部に配置される。つまり、音声出力部３１は、携帯電話機１が開状態において他方の外端部側に配置される。
【００２７】
また、表示部側筐体３のリアケース３ｂには、各種情報を表示するためのサブディスプレイ３２が露出して配置される。メインディスプレイ３０及びサブディスプレイ３２それぞれは、液晶パネルと、この液晶パネルを駆動する駆動回路と、この液晶パネルの背面側から光を照射するバックライト等の光源部とから構成される。
【００２８】
連結部４は、操作部側筐体２と表示部側筐体３とを、回転軸Ｘを中心にして任意の角度で開閉自在に連結する１軸ヒンジ機構（回転機構）を備える。また、連結部４には、操作部側筐体２と表示部側筐体３とを電気的に接続する中継ケーブル１５０を挿通させるダミーヒンジ１００が配置されている。ダミーヒンジ１００は、中空状に形成された筒状部１０１を有しており、中継ケーブル１５０は、筒状部１０１の内部を挿通することにより操作部側筐体２と表示部側筐体３とを中継する。
【００２９】
次に、図４から図６により、操作部側筐体２及び表示部側筐体３の内部構造について説明する。図４は、操作部側筐体２の分解斜視図を示す。図５は、表示部側筐体３の分解斜視図を示す。図６は、ダミーヒンジ１００の外観斜視図を示す。
【００３０】
操作部側筐体２は、図４に示すように、フロントケース２ａと、上述した操作キー群１１を構成するキーシート４０と、キースイッチが配置されるフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、リアケース２ｂと、を備える。また、リアケース２ｂの内部には、アンテナ８０が収容されると共に、バッテリ９０がリアケース２ｂの外側から装脱可能に収容される。リアケース２ｂは、バッテリ９０収容後、蓋部２５により閉蓋される。
【００３１】
フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブルプリント配線基板５０と、シールドケース６０と、回路基板７０とがフロントケース２ａ側からこの順番で収納配置される。
【００３２】
回路基板７０における第１の面７２には、図示しない各種電子部品及び基準電位パターン層が形成される。また、回路基板７０における第２の面７３には、各種電子部品が配置される。
【００３３】
シールドケース６０は、薄型の直方体における一の広い面が開口した形状を有する金属製の部材である。なお、シールドケース６０は、金属により形成する以外に、骨格を樹脂により形成し、その表面に金属性の導体膜を形成したものでもよい。
【００３４】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００３５】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００３６】
フロントケース２ａには、携帯電話機１を折り畳んだ状態で表示部側筐体３のメインディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００３７】
フロントケース２ａの上端部側には、フロントケース２ａの表面からリアケース２ｂが配置される側と反対側に突出した軸受部２０が形成される。軸受部２０は、表示部側筐体３の下端部側の一方端において固定される回転軸部材１１０を回転軸Ｘを中心に軸支する第１軸受部２１と、表示部側筐体３の下端部側の他方端に配置され、カラー部材１２０が嵌装されたダミーヒンジ１００を回転軸Ｘを中心に軸支する第２軸受部２２と、から構成される。つまり、軸受部２０は、表示部側筐体３を回転軸Ｘを中心に回動可能に軸支する。
【００３８】
軸受部２０の幅は、連結部４における第１連結部３１０の内側壁部と第２連結部３２０の内側壁部との幅よりも僅かに狭く形成されており、第１連結部３１０と第２連結部３２０との間に嵌装可能となっている。
【００３９】
また、第１軸受部２１及び第２軸受部２２は、操作部側筐体２の内部、言い換えると、フロントケース２ａの凹状の内側面と連通している。これにより、表示部側筐体３から中継される中継ケーブル１５０は、ダミーヒンジ１００を介して第２軸受部２２から操作部側筐体２に挿通可能となる。また、軸受部２０の上端部側の端部には、表示部側筐体３に設けられる第１ストッパ（図示せず）と当接することにより、表示部側筐体の展開角度を規制する第２ストッパ（図示せず）が形成されている。
【００４０】
表示部側筐体３は、図５に示すように、表示窓３３と、メインディスプレイユニット３４と、金属部材で構成される内部フレームを備えたフロントケース３ａと、ダミーヒンジ１００と、基準電位パターン層及びディスプレイ用の電子部品を備える回路基板３５と、サブディスプレイユニット３６と、リアケース３ｂと、を備える。
【００４１】
フロントケース３ａとリアケース３ｂとは、フロントケース３ａの凹状の内側面がリアケース３ｂと向き合うように配置されると共に、フロントケース３ａの外周縁とリアケース３ｂ外周縁とが重なり合うようにして結合される。また、フロントケース３ａとリアケース３ｂとの間には、ダミーヒンジ１００と、回路基板３５と、サブディスプレイユニット３６とが、フロントケース３ａ側からこの順番で収納配置される。また、フロントケース２ａの表面には、メインディスプレイユニット３４と、表示窓３３とがフロントケース３ａ側からこの順番で嵌装される。
【００４２】
メインディスプレイユニット３４は、メインディスプレイ３０と、該メインディスプレイ３０を固定するホルダー（図示せず）とにより構成されている。
【００４３】
回路基板３５は、上述のようにフロントケース３ａにおけるリアケース３ｂ側の収容部に収容配置される。回路基板３５におけるリアケース３ｂ側には、図示しない各種電子部品が配置される。また、各種電子部品は、所定の組み合わせによりメインディスプレイ３０やサブディスプレイ３２の表示態様やそのタイミング等の表示制御を行う表示制御ブロック等の回路ブロックを形成する。
【００４４】
サブディスプレイユニット３６は、サブディスプレイ３２と、該サブディスプレイ３２とを固定するホルダー（図示せず）とにより構成されている。サブディスプレイユニット３６は、リアケース３ｂと回路基板３５とに挟まれるように配置される。また、サブディスプレイユニット３６は、リアケース３ｂに形成される窓部３ｃから表出するように配置される。
【００４５】
フロントケース３ａは、内部に金属製の板金部材３７が配置される。フロントケース３ａには、この板金部材３７を挟んでフロントケース３ａ側及びリアケース３ｂ側それぞれに、浅い凹状の第１収容部３７ａ及び第２収容部３７ｂが形成される。そして、リアケース３ｂ側に形成される第１収容部３７ａには回路基板３５が収容配置され、第１収容部３７ａと反対側の第２収容部３７ｂにはメインディスプレイユニット３４が収容配置される。なお、板金部材３７は、表示部側筐体３における曲げ動作や捩り動作に対する剛性確保のための補強部材及び静電対策用のシールドとしても機能する。
【００４６】
第１収容部３７ａの板金部材３７には、ダミーヒンジ１００に形成される後述の延出部１０４をリアケース３ｂとダミーヒンジ１００の締結部１０３ａを支点にリアケース３ｂ側に押圧することにより、ダミーヒンジ１００の中心軸の調整を行う第１調整凸部１３０が形成可能になっている（図８（Ａ）及び図９（Ａ）参照）。第１調整凸部１３０は、延出部１０４のフロントケース３ａ側と対向する位置に設けられ、板金部材３７に肉盛りをすることにより所定量突出するように調整される。
【００４７】
また、フロントケース３ａのリアケース３ｂと対向する側の面には、ダミーヒンジ１００の板状部１０２をリアケース２ｂとダミーヒンジ１００の締結部１０３ａを支点にリアケース３ｂ側に押圧することにより、ダミーヒンジ１００の中心軸の調整を行う第２調整凸部１４０が形成されている（図８（Ｂ）及び図９（Ｂ）参照）。第２調整凸部１４０は、板状部１０２のフロントケース３ａ側と対向する位置に設けられ、フロントケース３ａの当該部分に肉盛りをすることにより所定量突出するように調整される。
【００４８】
フロントケース３ａの下端部側には、回転軸部材１１０を固定する第１連結部３１０と、ダミーヒンジ１００を保持する第２連結部３２０と、が形成されている。第１連結部３１０と第２連結部３２０は、下端部側において、フロントケース３ａの両側に形成されており、第１連結部３１０と第２連結部３２０の間には、操作部側筐体２に設けられる軸受部２０が嵌装される。つまり、第１連結部３１０と第２連結部３２０との間隔は、軸受部２０の幅よりも僅かに広く形成されており、軸受部２０が嵌装可能に形成されている（図６参照）。そして、第１連結部３１０及び第２連結部３２０に軸受部２０を嵌装することにより、携帯電話機１は連結部４の回転軸Ｘを中止に折り畳み可能になる。また、第１連結部３１０と第２連結部３２０とは、表示部側筐体３の長手方向に突出するように形成されている。
【００４９】
また、第１連結部３１０と第２連結部３２０は、その一部がリアケース３ｂに覆われるように形成されており、第２連結部３２０に配置されるダミーヒンジ１００はフロントケース３ａとリアケース３ｂとに挟持されるようにして第２連結部３２０で保持される。
【００５０】
ここで、第１連結部に固定される回転軸部材１１０は、開閉動作における表示部側筐体３の開閉を付勢する。また、第２連結部３２０は、フロントケース３ａの凹状の内側面、つまり、表示部側筐体３の内部と連通している。そして第２連結部３２０は、ダミーヒンジ１００の円筒状の筒状部１０１が配置される。これにより、中継ケーブル１５０は、第２連結部３２０からダミーヒンジ１００を介して表示部側筐体３の内部に挿通可能となる。
【００５１】
リアケース３ｂには、リアケース３ｂとダミーヒンジ１００とをねじ部材により締結するねじ孔３８が形成されている。ねじ孔３８は、第１調整凸部１３０と第２調整凸部１４０の間に該当する位置に形成されている。ねじ孔３８には雌ネジが切られており、雄ネジの切られたねじ部材が螺合可能に形成されている。また、ねじ孔３８は、ダミーヒンジ１００の回転軸の調整を行う際の締結部１０３ａを構成する。
【００５２】
リアケース３ｂには、ダミーヒンジ１００に形成される後述の延出部１０４をリアケース３ｂとダミーヒンジ１００の締結部１０３ａを支点にリフロントケース３ａ側に押圧することにより、ダミーヒンジ１００の中心軸の調整を行う第３調整凸部１４１が形成可能になっている（図８（Ｃ）及び図９（Ｃ）参照）。第３調整凸部１４１は、延出部１０４のリアケース３ｂ側と対向する位置に設けられ、リアケース３ｂに肉盛りをすることにより所定量突出するように調整される。
【００５３】
ダミーヒンジは、図６に示すように、中空状に形成され、中継ケーブル１５０を挿通させる筒状部１０１と、板状に形成され、リアケース３ｂに締結される板状部１０２と、から構成される。筒状部１０１は、第２連結部３２０において、フロントケース３ａ及びリアケース３ｂにより挟持されるように保持される保持部１０１ａと、中空状のカラー部材１２０が嵌装される嵌装部１０１ｂと、を有する。
【００５４】
ここで、カラー部材１２０は、摺動抵抗が低い材料で形成されており、例えば、ＰＯＭ（ポリアセタール）により形成される。このように、筒状部１０１にカラー部材１２０を嵌装させることにより、連結部４における表示部側筐体３の摺動性が向上する。また、嵌装部１０１ｂにはキーが形成されており、カラー部材１２０には、キーに対応して切り欠かれたキー溝が形成されている。キーがキー溝に対応することで、カラー部材１２０が周方向に回転することを防止でき、その結果、第２軸受部２２に対してカラー部材１２０が摺動することが可能なり、表示部側筐体３の摺動性を担保する。
【００５５】
板状に形成された板状部１０２には、締結孔１０３が形成されている。締結孔１０３は、リアケース３ｂに形成されたねじ孔３８に対応した孔であり、ねじ部材をねじ孔３８に螺合させることにより、リアケース３ｂと締結される。また、締結孔１０３は、リアケース３ｂと締結されることにより、後述のダミーヒンジ１００の軸調整における支点となる締結部１０３ａを構成する。
【００５６】
板状部１０２には、締結孔１０３に対して、筒状部１０１が形成される側と反対側において、筒状部１０１が形成される側と反対側に延出する延出部１０４が形成されている。延出部１０４は、第１収容部３７ａの板金部材３７に形成可能な第１調整凸部１３０と対向する位置まで延出するように形成される。なお、延出部の形状は、特に限定されることはなく、第１調整凸部１３０と当接可能な形状であればよい。
【００５７】
また、ダミーヒンジは、高剛性の合金や高剛性の樹脂等の高剛性材料で形成されている。高剛性材料としては、例えば、ポリカーボネイト、アルミニウム合金等が例示できる。
【００５８】
ここで、ダミーヒンジ１００の中心軸と携帯電話機１が回動する連結部４の回転軸Ｘとのズレを調整する第１調整凸部１３０、第２調整凸部１４０、第３調整凸部１４１について、図７から図９を参照しながら説明する。図７は、表示部側筐体３の正面図を示す。図８（Ａ）〜（Ｃ）は、図７のＡ−Ａ断面図を示す。図９（Ａ）は、ダミーヒンジ１００の回転軸を矢印Ｂ方向に調整する場合の説明図を示し、（Ｂ）及び（Ｃ）はダミーヒンジ１００の回転軸を矢印Ｃ方向に調整する場合の説明図を示す。
【００５９】
本実施形態における携帯電話機１を表示部側筐体３と操作部側筐体２とを連結部４により連結された状態まで組み立てた場合、連結部４における回転軸Ｘとダミーヒンジ１００の回転軸との位置ズレが生じていない場合には、このまま携帯電話機１を完成させることができる。
【００６０】
しかしながら、例えば、設計誤差等により、連結部４における回転軸Ｘとダミーヒンジ１００の回転軸とに位置ズレが生じてしまうと、開閉動作に支障を来すと共に、故障の原因になるおそれがある。ここで、携帯電話機１の回転軸Ｘは、一般に操作部側筐体２と表示部側筐体３との寸法精度により決定する。そして、回転軸部材１１０の回転軸と回転軸Ｘとが位置ズレを生じさせている場合においては、回転軸部材１１０をずらすことにより回転軸を調整する。
【００６１】
しかしながら、回転軸Ｘ上にダミーヒンジ１００のような回転軸を有する筒状部材を配置させた場合には、回転軸部材１１０の回転軸に加え、ダミーヒンジ１００の回転軸も同時に調整する必要が生じる。ここで、ダミーヒンジ１００は連結部４にかかる応力に耐えうるように、例えば、高剛性材料で成型されたり、フロントケース３ａやリアケース３ｂに共締めされるたりするため、ダミーヒンジ１００の回転軸の調整は困難なものである。
【００６２】
そこで、ダミーヒンジ１００に締結孔１０３に対して、筒状部１０１と反対側に延出する延出部１０４を設けると共に、この延出部１０４と厚さ方向に対向する位置（延出部１０４と面対向する位置）に形成される第１又は第３調整凸部１３０、１４１若しくは締結部と対向する第２調整凸部１４０を設けることにより、締結部１０３ａを支点としたダミーヒンジ１００の回転軸の調整が可能になる。
【００６３】
例えば、携帯電話機１において、図８（Ａ）に示す手前左側（矢印Ｃ方向）にダミーヒンジ１００の回転軸が回転軸Ｘよりもずれていると仮定する。このような状態においては、右側（ダミーヒンジ１００の回転軸がずれている方向と反対側である矢印Ｂ方向）にダミーヒンジ１００の回転軸をずらす必要がある。この場合、第１調整凸部１３０を形成する。つまり、図９（Ａ）に示すように、ダミーヒンジ１００の回転軸が矢印Ｂ方向に動くように第１調整凸部１３０を肉盛りにより形成し、当該部分を押圧する。
【００６４】
具体的には、第１調整凸部１３０を形成すると、図９（Ａ）に示すように、第１調整凸部１３０が延出部１０４を押し上げられる。しかしながら、締結孔１０３がリアケース３ｂに締結されているため、締結部１０３ａを支点にして筒状部１０１側が押し下げられる。これにより、筒状部１０１が矢印Ｂ方向に移動する。つまり、第１調整凸部１３０を肉盛りにより形成することにより、回転軸を有する筒状部１０１の矢印Ｂ方向への調整が可能になる。
【００６５】
また、例えば、携帯電話機１において、図８（Ｂ）に示す手前右側（矢印Ｂ方向）にダミーヒンジ１００の回転軸が回転軸Ｘよりもずれていると仮定する。このような状態においては、左側（ダミーヒンジ１００の回転軸がずれている方向と反対側である矢印Ｃ方向）にダミーヒンジ１００の回転軸をずらす必要がある。この場合、第２調整凸部１４０又は第３調整凸部１４１を形成する。つまり、図９（Ｂ）及び（Ｃ）に示すように、ダミーヒンジ１００の回転軸が矢印Ｃ方向に動くように第２調整凸部１４０又は第３調整凸部１４１を肉盛りにより形成し、当該部分を押圧する。
【００６６】
具体的には、第２調整凸部１４０を形成すると、図９（Ｂ）に示すように、第２調整凸部１４０が板状部１０２を押し上げようとする。ここで、締結孔１０３がリアケースに締結されているため、締結部１０３ａを支点にして筒状部１０１側が押し上げられる。これにより、筒状部１０１が矢印Ｃ方向に移動する。つまり、第２調整凸部１４０を肉盛りにより形成することにより、回転軸を有する筒状部１０１の矢印Ｃ方向への調整が可能になる。
【００６７】
また、例えば、図８（Ｃ）に示すように、第３調整凸部１４１を形成すると、図９（Ｃ）に示すように、第３調整凸部１４１が延出部１０４を押し下げる。すると、締結部１０３ａを支点として板状部１０２側が押し上げられる。つまり、締結孔１０３に対して延出部１０４と反対側に位置する筒状部１０１が矢印Ｃ方向に移動する。つまり、第３調整凸部１４１を肉盛りにより形成することにより、回転軸を有する筒状部１０１の矢印Ｃ方向への調整が可能になる。
【００６８】
このように、本実施形態においては、ダミーヒンジ１００に延出部１０４を設け、延出部１０４を押圧する第１又は第３調整凸部１３０、１４１、若しくは板状部１０２を押圧する第３調整凸部１４１において、ダミーヒンジ１００を押圧するための肉盛りをするため、支点となる締結孔１０３と各調整凸部との距離を長くすることが可能になり、締結孔１０３にかかる負荷を小さくすることが可能になる。
【００６９】
また、本実施形態においては、連結部に肉盛りをしてダミーヒンジ１００の筒状部１０１の回転軸のずれを修正する場合に比べて、連結部４への負担を軽減することが可能となり、例えば、当該連結部４を構成する各ケースの隙間の発生を軽減することができる。
【００７０】
また、例えば、筐体を無理開きした場合、延出部１０４が長く形成されているため、締結部１０３ａにかかる負荷を低減することができる。さらに、締結部１０３ａを構成する締結孔１０３の変形を軽減できると共に、無理開きをした場合における回転軸の位置ズレ（移動）を抑制することができる。
【００７１】
また、本実施形態においては、第１及び第２調整凸部１３０、１４０が表示部側筐体における開方向側に形成されているため、携帯電話機１を開いた際における回転軸のずれをより修正しやすくなる。
【００７２】
また、本実施形態においては、第１及び第２調整凸部１３０、１４０を板金部材３７、フロントケース３ａ、又は第３調整凸部１４１をリアケース３ｂに肉盛りすることにより形成する。つまり、板金部材３７、フロントケース３ａ、又はリアケース３ｂに各調整凸部を形成するため、ダミーヒンジ１００の回転軸を修正するためのコスト増加を抑制することかできる。
【００７３】
なお、本実施形態においては、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７４】
また、本実施形態においては、２軸ヒンジ機構を有する折り畳み式の携帯電話機について説明するが、本発明においてはこれに限定されるものではなく、例えば、２軸ヒンジ機構を有する折り畳み式の携帯電話機等であってもよい。
【図面の簡単な説明】
【００７５】
【図１】電子機器としての携帯電話機１を開いた状態（開状態）を示す外観斜視図である。
【図２】携帯電話機１を折り畳んだ状態（閉状態）を示す外観斜視図である。
【図３】操作部側筐体２の分解斜視図を示す。
【図４】表示部側筐体３の分解斜視図を示す。
【図５】ダミーヒンジ１００の外観斜視図を示す。
【図６】操作部側筐体２と表示部側筐体３との連結状態を示す。
【図７】表示部側筐体３の正面図を示す。
【図８】（Ａ）から（Ｃ）は、図６のＡ−Ａ断面図を示す。
【図９】（Ａ）は、ダミーヒンジの中心軸を矢印Ｂ方向に調整する場合の説明図を示し、（Ｂ）及び（Ｃ）はダミーヒンジの中心軸を矢印Ｃ方向に調整する場合の説明図を示す。
【符号の説明】
【００７６】
１    携帯電話機
２    操作部側筐体
３    表示部側筐体
４    連結部
３８    ねじ孔
１００    ダミーヒンジ（支持部材）
１０１    円筒部
１０２    締結部
１０３    締結孔
１０４    延出部
１１０    回転軸部材
１３０    第１調整凸部
１４０    第２調整凸部
１４１    第３調整凸部
【図１】
2009111690.tif 000003
【図２】
2009111690.tif 000004
【図３】
2009111690.tif 000005
【図４】
2009111690.tif 000006
【図５】
2009111690.tif 000007
【図６】
2009111690.tif 000008
【図７】
2009111690.tif 000009
【図８】
2009111690.tif 000010
【図９】
2009111690.tif 000011